(57)【特許請求の範囲】
【請求項１】
密に並ぶ経糸中にゴム状弾性糸を混入し、緯糸を打ち込んで製織された伸縮性テープにおいて、上記の経糸の少なくとも一部に柄経糸として合成繊維のウーリー加工糸が用いられ、この柄経糸および緯糸のうちの少なくとも柄経糸が複数本ずつ引揃えられて組織し、柄経糸の浮き部分の密な集合からなる多数の島状の浮き模様が経糸方向の複数列の数珠つなぎ状に、かつ千鳥状に形成され、上記島状の浮き模様が上記柄経糸の長い浮き部分の中間部両側にそれぞれ柄経糸の短い浮き部分を配置して形成されて菱形もしくは六角形の外観を呈しており、表面の大部分が上記の柄経糸を構成するウーリー加工糸の捲縮繊維で被覆されていることを特徴とする伸縮性テープ。
【請求項２】
弾性的に伸縮可能な伸縮部分を少なくとも一部に備えており、この伸縮部分の縁に沿って伸縮性テープが取付けられた下着において、この伸縮性テープが請求項１に記載された伸縮性テープであり、その表面が上記伸縮部分の裏面に現われるように取付けられていることを特徴とする下着。
【発明の詳細な説明】
【０００１】
【発明の属する技術分野】
この発明は、伸縮性テープ、特にランジェリー、ファンデーションおよびアンダーウエア等の婦人用下着の一部に取付けるための伸縮性テープおよびこの伸縮性テープを取付けた上記の下着に関するものである。
【０００２】
【従来の技術】
下着、特にランジェリー、ファンデーションおよびアンダーウエア等の婦人用下着では、種々の部分に伸縮性テープが使用されている。例えば、ブラジャーのカップから側方へ延びて人体の背面で接続される伸縮性バンド部の上縁および下縁に取付けられるアンダーテープやストラップテープ等の伸縮性テープとして、経糸に合成繊維のウーリー加工糸を用い、この経糸を密に配列し、その複数本に１本の割合でゴム状弾性糸を配列し、緯糸を打ち込んで幅８〜２５mm程度の細幅の平織や斜子、経朱子等に製織したものが知られている。
【０００３】
上記の伸縮性テープは、表面がウーリー加工糸を構成する捲縮繊維で被覆されているため、肌触りがソフトであるが、表面が滑らかで滑り易いため、最近のように体に対するフィット性が強く望まれるようになると、その滑り易さによって着用時にずれることが問題になってきた。そこで、経糸に混在するゴム状弾性糸のパワーを強くしたり、テープ表面を被覆するウーリー加工糸（経糸）の捲縮繊維上にシリコーン系ゴムを直線状または波形にラミネートしたりすることが試みられているが、この場合は、締め過ぎやカブレ等の衣料障害が生じるという問題があった。
【０００４】
【発明が解決しようとする課題】
この発明は、ブラジャー、ガードル、コルセット、スリーインワン、ボディスーツ、オールインワン等のファンデーション（補整機能付き下着）、スリップ、キャミソール、ペチコート等のランジエリー（装飾性下着）およびショーツ、パンティ等のアンダーウエア（実用的肌着）を含む下着の所望箇所に取付けることができ、締め過ぎやカブレ等の衣料障害が生じることがなく、しかも滑り止め機能を備え、フィット性に優れた伸縮性テープ、およびこの伸縮性テープを取り付けた下着を提供するものである。
【０００５】
【課題を解決するための手段】
この発明に係る伸縮性テープは、密に並ぶ経糸中にゴム状弾性糸を混入し、緯糸を打ち込んで製織された伸縮性テープにおいて、上記の経糸の少なくとも一部に柄経糸として合成繊維のウーリー加工糸が用いられ、この柄経糸および緯糸のうちの少なくとも柄経糸が複数本ずつ引揃えられて組織し、柄経糸の浮き部分の密な集合からなる多数の島状の浮き模様が経糸方向の複数列の数珠つなぎ状に、かつ千鳥状に形成され、上記島状の浮き模様が上記柄経糸の長い浮き部分の中間部両側にそれぞれ柄経糸の短い浮き部分を配置して形成されて菱形もしくは六角形の外観を呈しており、表面の大部分が上記の柄経糸を構成するウーリー加工糸の捲縮繊維で被覆されていることを特徴とする。
【０００６】
上記の伸縮性テープでは、合成繊維のウーリー加工糸からなる柄経糸の浮き部分が独立した島状の浮き模様を形成するので、テープに数回の緊張を交互に加えると、意外にも、上記の浮き模様を構成している柄経糸が個々の浮き模様の中心側に集まり、隣接する浮き模様間の隙間が広がって浮き模様の輪郭が明瞭になると共に、浮き模様部分の厚みが増大し、この状態に安定する。そして、洗濯によって最初の厚みに戻っても、数回の緊張を繰り返すと、再び厚みが増大する。したがって、上記の伸縮性テープを上記の浮き模様が肌側を向くように下着の所望箇所に取り付けて着用すると、上記浮き模様が肌に軽く食い込んで滑り止めとして機能し、上記下着のずれが防止される。そして、従来のようにゴム状弾性糸のパワーを大きくして人体に対する締付けを過大にする必要がなく、また上記テープの表面の大部分が上記ウーリー加工糸の捲縮繊維で覆われ、この細かくソフトな捲縮繊維が肌に接するので、カブレや締付けによる衣料障害の発生することがなく、良好な着用感が得られる。
【０００７】
上記の柄経糸は、ナイロンやポリエステル等の合成繊維からなるマルチフィラメント糸に仮撚加工を施して得られるウーリー加工糸であり、ウーリー加工糸以外の生のマルチフィラメント糸では、上記の繰返し緊張により厚みが増大しても、繊維自体に伸縮性が存在しないため、形状が安定せず、滑り止め機能が得られない。また、緯糸は、任意の糸条であり、上記の仮撚加工を施す前の生のマルチフィラメント糸および上記のウーリー加工糸等のいずれでも使用可能である。
【０００８】
また、ゴム状弾性糸は、ゴム状の伸縮弾性を備えた糸であり、ゴム糸以外にポリエステル系またはポリエーテル系のスパンデックス繊維が例示される。このゴム状弾性糸は、裸のフィラメント糸の形または通常の繊維で被覆したカバリング糸の形のいずれでも使用できるが、カバリング糸の形で使用した場合は、ゴム状弾性糸が露出しないため外観が良好で、かつ表面の摩擦係数が増大してスリップし難くなる点で好ましい。そして、このカバリング糸は、ゴム状弾性を有する裸のフィラメント糸を芯糸とし、通常の繊維糸条、好ましくは上記のウーリー加工糸を一重のコイル状に巻付けたシングルカバリング糸または二重のコイル状に巻付けたダブルカバリング糸のいずれでもよい。
【０００９】
上記の柄経糸は、密に配列され、この柄経糸間に上記のゴム状弾性糸が混入される。そして、製織により、上記柄経糸のウーリー加工糸で多数の浮き模様が形成され、好ましくはテープの耳部分を除く中央部の大部分が浮き模様を構成する柄経糸のウーリー加工糸で覆われた組織に製織される。ただし、この発明では、上記の浮き模様が上記柄経糸の浮き部分の密な集合からなる島状に形成され、この島状の浮き模様が経糸方向の複数列に、かつ好ましくは千鳥状に形成される。なお、上記の独立した島状の浮き模様の形状としては、菱形、六角形、方形、円形等が例示される。また、この浮き模様の大きさおよび配列密度は、大き過ぎても、小さ過ぎても滑り止め効果が得難く、大きさは縦横とも２〜３mm程度が、また配列密度は、縦横とも３〜４個／cmが好ましい。
【００１０】
この発明の伸縮性テープにおいて、浮き模様部分以外の地部は、上記柄経糸の浮き模様以外の部分と緯糸およびゴム状弾性糸で構成することもできるが、上記の柄経糸以外に地経糸として上記の柄経糸よりも細い経糸、好ましくはウーリー加工糸を添加し、この地経糸と前記の緯糸およびゴム状弾性糸とで地部を平組織またはその変化組織に製織し、この地部上に上記の柄経糸で前記の浮き模様を形成するのが有利である。
【００１１】
なお、上記柄経糸用ウーリー加工糸の太さは１５６〜２２０ｄＴ（デシテックス）が、また配列密度は４６〜５４本／cmがそれぞれ好ましい。また、上記地経糸用ウーリー加工糸の太さは１１２〜１５６ｄＴが、また配列密度は１８〜２４本／cmがそれぞれ好ましい。また、ゴム状弾性糸（裸のスパンデックス糸条）の太さは６２０〜９４０ｄＴが、また配列密度は１２〜１６本／cmがそれぞれ好ましい。また、緯糸の太さは１２２〜１５５ｄＴが、また配列密度は３５〜４０本／cmがそれぞれ好ましい。
【００１２】
上記の浮き模様を形成する柄経糸および緯糸は、製織に際して１本ずつ個別に組織させることができるが、特に柄経糸は、複数本ずつ、例えば２〜１０本ずつまとめて同時に浮沈させ、複数本ずつ引揃えた形に組織させ、製織を容易にすることができる。なお、引揃えて組織させる柄経糸群相互間に浮きの少ない経糸を１本ずつ介在させ、緯糸との組織点を増加することができる。また、１個の浮き模様内のすべての柄経糸を全長にわたって浮かせることは必ずしも必要でなく、特に長い浮き糸では、むしろ中央の一部を沈ませて緯糸と組織させ、引っ掛かり難くすることが好ましい。
【００１３】
前記のとおり、浮き模様の形状としては、菱形、六角形、方形、円形等が例示されるが、菱形、特に対向する１組の頂点を経糸上に、他の１組の頂点を緯糸上に位置させた菱形は、製織が容易で、かつ前記の滑り止め効果が得易い点で好ましい。そして、この菱形は、柄経糸の長い浮き部分の中間部両側にそれぞれ柄経糸の短い浮き部分を配置することによって形成される。例えば、複数本の柄経糸の引揃えからなる長い浮き部分の中間部両側に複数本の柄経糸の引き揃えからなる短い浮き部分を配置することによっても菱形の浮き模様が形成される。この場合、両側の短い浮き部分を長めに形成して六角形の浮き模様としてもよい。
【００１４】
一方、この発明の下着は、弾性的に伸縮可能な伸縮部分を少なくとも一部に備えており、この伸縮部分の縁に沿って上記の伸縮性テープ（すなわち、経糸として合成繊維のウーリー加工糸が用いられ、この経糸の浮き部分の密な集合からなる多数の島状の浮き模様が経糸方向の複数列に形成され、表面の大部分が上記の経糸を構成するウーリー加工糸の捲縮繊維で被覆された伸縮性テープ）が取り付けられたものである。ただし、取り付けに際しては、上記伸縮性テープの表面が上記伸縮部分の裏面に現われ、人体に接するように取付けられる。
【００１５】
この発明の下着は、弾性的に伸縮可能な伸縮部分を備えた下着であり、前記のブラジャー、ガードル、コルセット、スリーインワン、ボディスーツ、オールインワン等のファンデーション、スリップ、キャミソール、ペチコート等のランジエリーおよびショーツ、パンティ等のアンダーウエアが例示されるが、前記の伸縮性テープは、ブラジャーのカップから側方へ延びるバンド部分の上下の縁、ガードル、パンティ、ショーツのウエストや裾口等の開口部の縁に沿って取り付けられ、前記のようにフィット性を高めながら、締め過ぎをすることなく下着の位置ずれを防止する。なお、下着の種類に応じて、また同じ下着でも、例えば同じブラジャーでも、上縁と下縁等の位置の違いに応じて、使用する伸縮性テープの幅や伸縮弾性、浮き模様の大きさ、形状を変更することができる。
【００１６】
【発明の実施の形態】
図１において、１０は幅が約１０mmの伸縮性テープであり、地経糸、緯糸およびゴム状弾性糸からなる地部１１上に柄経糸からなる菱形の浮き模様１２および該菱形浮き模様１２を二分した形の三角形の浮き模様１３が３列の千鳥状に形成され、この浮き模様１２、１３を構成する柄経糸の捲縮繊維で上記テープ１０の大部分が覆われている。なお、上記菱形の浮き模様１２は、長さ（経糸方向の頂点間距離）が約３．０mmに、また幅( 緯糸方向の頂点間距離) が約２．５mmに形成される。
【００１７】
図２は、上記伸縮性テープ１０の織り組織を示す。ただし、経糸方向を横向きにし、かつ柄経糸１５は密接させ、緯糸１６は粗く配列して示され、地経糸およびゴム状弾性糸は図示を省略されている。この図２において、柄経糸１５はナイロンウーリー加工糸、緯糸１６は生のナイロンマルチフィラメント糸であり、上記の柄経糸１５は５本ずつ引揃えて使用され、下から順にグループ１５ａ、１５ｂ、１５ｃ、１５ｄ、１５ｅ、１５ｆを構成し、緯糸１６は２本ずつ引き揃えて使用され、左から順にグループ１６ａ、１６ｂ、１６ｃ、１６ｄ、１６ｅ、１６ｆ、１６ｇ、１６ｈを構成する。なお、ゴム状弾性糸は、スパンデックス繊維糸条にナイロンウーリー加工糸をダブルカバリングしたものが使用され、地経糸と共に任意の柄経糸グループに添加され、緯糸１６と平織またはその変化組織に織られて地部１１（図１参照）を構成する。
【００１８】
上記柄経糸の第５グループ１５ｅは緯糸の第３グループ１６ｃ、第４グループ１６ｄおよび第５グループ１６ｅの上に連続して浮き、柄経糸の第４グループ１５ｄおよび第６グループ１６ｆは両者とも緯糸の第４グループ１６ｄの上に連続して浮いて１個の浮き模様１２を十字形に形成する。そして、上記柄経糸の第５グループ１５ｅは１グループ２本の緯糸１６の下に沈んだ後、上記同様に３グールプ６本の緯糸１６上に浮き、また柄経糸の第４グループ１５ｄおよび第６グループ１６ｆは３グループ６本の緯糸の下に沈んだ後、上記同様に１グールプ２本の緯糸１６上に浮き、以下これを繰り返して多数の浮き模様１２を数珠つなぎ状の１列に形成する。すなわち、緯糸の第３グループ１６ｃ、第４グループ１６ｄ、第５グループ１６ｅにまたがって１個の浮き模様１２を、また緯糸の第６グループ１６ｆの下を過ぎた後、第７グループ１６ｇ、第８グループ１６ｈ、第１グループ１６ａにまたがって１個の浮き模様１２をそれぞれ形成する。
【００１９】
また、上記３グループの柄経糸グループ１５ｄ、１５ｅ、１５ｆの隣の柄経糸グループ１５ａ、１５ｂ、１５ｃは、緯糸の第１グループ１６ａ、第２グループ１６ｂ、第３グループ１６ｃにまたがって１個の浮き模様１２を、また緯糸の第５グループ１６ｅ、第６グループ１６ｆ、第７グループ１６ｇにまたがって１個の浮き模様１２をそれぞれ形成する。すなわち、柄経糸グループ１５ａ、１５ｂ、１５ｃと柄経糸グループ１５ｄ、１５ｅ、１５ｆとが２列の浮き模様１２を、経糸方向に半ピッチずれた千鳥配列に形成する。
【００２０】
上記の浮き模様１２は、組織図上では十字形を形成するが、織り上がり後の織物上では肉眼でみた場合、図１の菱形を呈し、緯糸１６の浮き部分が柄経糸１５に対して傾斜して交差する多数本の直線状に表われる。そして、得られた伸縮性テープ１０を数回緊張させると、浮き模様１２の部分の厚みが増大し（図３の鎖線参照）、その輪郭が明瞭になる。
【００２１】
上記図２の実施形態では、２列千鳥配列の浮き模様１２を単に隣接する状態に製織したものであるが、上記２列千鳥配列の浮き模様１２の列間隔を狭くし、２列の浮き模様１２を噛合い状に配列することができる（図４参照）。この図４において、１５は柄経糸、１６は緯糸である。柄経糸１５は、下から順に５本引揃えの第１グループ１５ａ、２本引揃えの第２グループ１５ｂ、３本引揃えの第３グループ１５ｃ、２本引揃えの第４グループ１５ｄ、５本引揃えの第５グループ１５ｅ、２本引揃えの第６グループ１５ｆ、３本引揃えの第７グループ１５ｇ、２本引揃えの第８グループ１５ｈを構成する。また、緯糸１６は、左から順に２本ずつの第１〜第８グループ１６ａ、１６ｂ、１６ｃ、１６ｄ、１６ｅ、１６ｆ、１６ｇ、１６ｈを構成する。なお、図示されていないゴム状弾性糸および地経糸は、それぞれ任意間隔で配列され、緯糸１６とで地組織を構成する。
【００２２】
そして、上記柄経糸５本引揃えの第５グループ１５ｅ、その両側に位置する２本引揃えの第４グルーフ１５ｄと第６グループ１５ｆ、更にその両側に位置する３本引揃えの第３グループ１５ｃと第７グループ１５ｇの合計５グループの柄経糸が前記同様に十字形の浮き模様１２を１列に形成する。また、その隣に柄経糸５本引揃えの第１グループ１５ａ、その両側に位置する２本引揃えの第２グループ１５ｂと第８グループ１５ｈ、更にその両側に位置する３本引揃えの第３グループ１５ｃと第７グループ１５ｇの合計５グループの柄経糸が前記同様に十字形の浮き模様１２を１列に形成する。すなわち、柄経糸３本引揃えの第３グループ１５ｃおよび第７グループ１５ｇは、２列の浮き模様１２の双方の形成に寄与し、この場合はテープ１０の表面における浮き模様１２の面積が広くなる。
【００２３】
図５に示す実施形態は、柄経糸１５を、下から順に２本ずつのグループ１５ａ、１５ｂ、１５ｃ、１５ｄ、１５ｅ、１５ｆ、１５ｇ、１５ｈに構成し、緯糸１６を１本単位で浮沈させるものである。そして、図示されないゴム状弾性糸のダブルカバリング糸および地経糸が前記同様に地部用として添加される。この実施形態では、柄経糸第１グループ１５ａが７本の緯糸１６上に連続して浮き、３本離れて再び７本の緯糸１６上に浮き、その両側で柄経糸第２グループ１５ｂおよび第８グループ１５ｈがそれぞれ５本の緯糸１６上に浮き、更にその両側で柄経糸第３グループ１５ｃおよび第７グループ１５ｇがそれぞれ３本の緯糸１６上に浮き、更にその両側で柄経糸第４グループ１５ｄおよび第６グループ１５ｆがそれぞれ１本の緯糸１６上に浮いて菱形の浮き模様１２を形成する。
【００２４】
そして、柄経糸第５グループ１５ｅが上記柄経糸第１グループ１５ａの浮き位置から緯糸５本分離れた位置で上記同様に７本の緯糸１６上に連続して浮き、その両側で柄経糸第６グループ１５ｆおよび第４グループ１５ｄがそれぞれ５本の緯糸１６上に浮き、更にその両側で柄経糸第７グループ１５ｇおよび第３グループ１５ｃがそれぞれ３本の緯糸１６上に浮き、更にその両側で柄経糸第８グループ１５ｈおよび第２グループ１５ｂがそれぞれ１本の緯糸１６上に浮いて菱形の浮き模様１２を形成する。すなわち、この実施形態では、柄経糸第１グループ１５ａおよび第５グループ１５ｅを除く他の柄経糸グループは、すべて隣接する２列の浮き模様１２の形成に寄与する。そして、緯糸１６は１本単位で制御し、柄経糸１５はすべて２本単位で引揃えられるため、浮き模様１２の形状が精緻な菱形となる。
【００２５】
上記の伸縮性テープ１０は、ブラジャー（図示されていない）のカップの左右から側方へ延びて人体の背面で接続されるバンド部分の上下の縁に沿って上記伸縮性テープ１０の浮き模様１２がブラジャーの裏面（バンド部分の裏面）に出るように縫着により取り付けられる。また、ガードルやパンティ、ショーツのウエスト部等に同様に取り付けられる。そして、これらの下着が着用され、数回の伸縮を繰り返すと、上記の浮き模様１２が盛り上がって下着の裏面の凸部を構成し、これが滑り止めとして機能するので、上記下着類のずれが防止される。
【００２６】
【実施例】
実施例１
柄経糸１５としてナイロンのウーリー加工糸（７８ｄＴ／２）を、またゴム状弾性糸としてスパンデックス繊維糸条（９４０ｄＴ）とナイロンのウーリー加工糸（５６ｄＴ）とからなるダブルカバリング糸を、また地経糸としてナイロンのウーリー加工糸（５６ｄＴ／２）を、また緯糸１６として生のナイロンマルチフィラメント糸（１５５ｄＴ）をそれぞれ用いて伸縮性テープを織成した。ただし、上記柄経糸１５の２本ごとに地経糸を１本、またこの地経糸の２本ごとに上記のゴム状弾性糸を１本配列し、ゴム状弾性糸および地経糸にそれぞれ平織を組織させて地部を形成した。
【００２７】
一方、柄経糸１５は、２本ずつ引揃えて用い、１組２本の柄経糸１５で緯糸１６に対し、１０本浮き、２本沈み、の繰返しで組織させて菱形模様の最大浮き部を形成し、その１０本浮き部の中央部両側にそれぞれ１組２本の柄経糸１５を６本の緯糸１６上に浮かせ、更にその中央部両側にそれぞれ１組２本の柄経糸１５を２本の緯糸１６上に浮かせて菱形の浮き模様１２を形成し、その他は図４の実施形態とほぼ同様にして３列の浮き模様列を千鳥状に形成し、仕上げ加工を施して幅が約１０mm、総経糸密度（ゴム状弾性糸を含む）が約７５本／cm、緯糸密度が約３７本／cm、目付け量５．０９ｇ／ｍの伸縮性テープ１０を得た。
【００２８】
得られた伸縮性テープ１０をブラジャーの左右のバンド部の上下の縁に沿って取り付け、２０才代の女性５名による着用試験を行い、従来の朱子織りタイプの伸縮性テープを取り付けたブラジャーと比較したところ、実施例は、着用中のずれがなく、着用感およびフィット性が明らかに優れていた。
【００２９】
【発明の効果】
上記のとおり、請求項１に係る発明は、表面にウーリー加工糸の柄経糸からなる多数の浮き模様を備えた伸縮性テープであり、この伸縮性テープを、上記の浮き模様が肌に接するように、伸縮性下着の所望箇所に取り付けると、上記の浮き模様が滑り止めとして機能し、特に強い緊張を加えなくても下着のずれを防ぎ、しかもウーリー加工糸の捲縮繊維が肌に当たるので、感触がソフトで、肌荒れを生じることがなく、かつ織成が容易である。
【００３０】
また請求項２に係る発明の下着は、上記の伸縮性テープを取り付けたものであるから、着用時の圧迫感がなくてフィット性が良好で、しかもずれがなく、着用感に優れている。
【図面の簡単な説明】
【図１】実施形態の外観を示す表面図である。
【図２】実施形態の組織図である。
【図３】実施形態の断面図である。
【図４】他の実施形態の組織図である。
【図５】更に他の実施形態の組織図である。
【符号の説明】
１０：伸縮性テープ
１１：地部
１２、１３：浮き模様
１５：柄経糸
１５ａ、１５ｂ、１５ｃ、１５ｄ、１５ｅ、１５ｆ、１５ｇ、１５ｈ：柄経糸のグループ
１６：緯糸
１６ａ、１６ｂ、１６ｃ、１６ｄ、１６ｅ、１６ｆ、１６ｇ、１６ｈ：緯糸のグループ
【図１】
0003540710.tif 000002
【図２】
0003540710.tif 000003
【図３】
0003540710.tif 000004
【図４】
0003540710.tif 000005
【図５】
0003540710.tif 000006